(57)【要約】【課題】上製本の仮綴じを、糸かがり綴じや平綴じ方式に替えて接着剤による仮綴じ方式とするとともに、オンデマンド方式によるパーソナルな印刷、製本を上製本形態で行う場合に、顧客からの個々の要望に十分に即応できような効率的な上製本が実施できるようにすることにある。【解決手段】複数枚の二つ折りした折丁４ａが互いにその折丁背部４ｂを揃えて集積され且つ集積された前記集積折丁の折丁背部同士が接着剤６にて接合されて仮綴じされた仮綴じ本４の背部５が、厚表紙１の背表紙２内面に沿って配置されて、前記厚表紙の背表紙内面と、その背表紙内面に沿って配置された仮綴じ本の背部とが接着剤にて互いに接合していて、表紙内面側又は見返しシート又は折丁４ａに撮影写真又は印刷画像による特定画像１１が設けられ、該特定画像を観察可能に折丁４ａの全頁又は部分頁に亘って窓孔部１２が設けられている。【選択図】図１
2004001451.tif 000002
【特許請求の範囲】
【請求項１】
複数枚の二つ折りした折丁が互いにその折丁背部を揃えて集積され且つ集積された前記集積折丁の折丁背部同士が接着剤にて接合されて仮綴じされた仮綴じ本の背部が、厚表紙の背表紙内面に沿って配置され、前記厚表紙の背表紙内面と、その背表紙内面に沿って配置された仮綴じ本の背部とが、接着剤にて互いに接合していることを特徴とする上製本。
【請求項２】
複数枚の二つ折りした折丁が互いにその折丁背部を揃えて集積され且つ集積された前記集積折丁の折丁背部同士が接着剤にて接合されて仮綴じされた仮綴じ本の背部が、厚表紙の背表紙内面に沿って配置され、該仮綴じ本の最表裏紙面が厚表紙の表裏表紙内面に接着剤を介して接合されて製本されていることを特徴とする上製本。
【請求項３】
請求項２記載の上製本において、前記厚表紙の背表紙内面と、その背表紙内面に沿って配置された仮綴じ本の背部とが、接着剤にて互いに接合していることを特徴とする上製本。
【請求項４】
請求項２記載の上製本において、前記厚表紙の背表紙内面と、その背表紙内面に沿って配置された仮綴じ本の背部とが、互いに非接合状態に形成されていることを特徴とする上製本。
【請求項５】
請求項２記載の上製本において、前記厚表紙の背表紙内面と、その背表紙内面に沿って配置された仮綴じ本の背部とが、互いに非接合状態に形成され、且つその両部間には所定の空間を備えていることを特徴とする上製本。
【請求項６】
複数枚の二つ折りした折丁が互いにその折丁背部を揃えて集積され且つ集積された前記集積折丁の折丁背部同士が接着剤にて接合されて仮綴じされた仮綴じ本の背部が、厚表紙の背表紙内面に沿って配置され、該仮綴じ本の最表裏紙面と厚表紙の表裏表紙とのそれぞれ内面が、二つ折りの見返しシートを介して接着剤にて接合されて製本されていることを特徴とする上製本。
【請求項７】
請求項６記載の上製本において、前記仮綴じ本の背部と厚表紙の背表紙内面とが、接着剤にて互いに接合していることを特徴とする上製本。
【請求項８】
請求項６記載の上製本において、前記仮綴じ本の背部と厚表紙の背表紙内面とが、互いに非接合状態に形成されていることを特徴とする上製本。
【請求項９】
請求項６記載の上製本において、前記仮綴じ本の背部と厚表紙の背表紙内面とが、互いに非接合状態に形成され且つその両面間には所定の空間を備えていることを特徴とする上製本。
【請求項１０】
複数枚の二つ折りした折丁が互いにその折丁背部を揃えて集積され且つ集積された前記集積折丁の折丁背部同士が接着剤にて接合されて仮綴じされた仮綴じ本の背部が、見返しシートの背部内面に接着剤を介して接合され、該見返しシートの表裏紙面が厚表紙の表裏表紙内面に接着剤を介して接合されて製本されていることを特徴とする上製本。
【請求項１１】
請求項１０記載の上製本において、前記仮綴じ本の背部外面に接合された見返しシートの背部外面と厚表紙の背表紙内面とが、接着剤にて互いに接合していることを特徴とする上製本。
【請求項１２】
請求項１０記載の上製本において、前記仮綴じ本の背部外面に接合された見返しシートの背部外面と厚表紙の背表紙内面とが、互いに非接合状態に形成されていることを特徴とする上製本。
【請求項１３】
請求項１０記載の上製本において、前記仮綴じ本の背部外面に接合された見返しシートの背部外面と厚表紙の背表紙内面とが、互いに非接合状態に形成され且つその両面間には所定の空間を備えていることを特徴とする上製本。
【請求項１４】
請求項１記載の上製本において、前記厚表紙の表裏表紙のうちいずれか一方若しくは両方の表紙の内面側、又は前記仮綴じ本の最表裏紙面のうちいずれか１方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本。
【請求項１５】
請求項２乃至５のいずれか１項記載の上製本において、前記厚表紙の表裏表紙内面に接着剤を介して接合された前記仮綴じ本の最表裏紙面のうちいずれか一方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本。
【請求項１６】
請求項６乃至９のいずれか１項記載の上製本において、前記厚表紙の表裏表紙内面に接着剤を介して接合された前記見返しシートの表裏紙面のうちいずれか一方若しくは両方の紙面の内面側、又は前記仮綴じ本の最表裏紙面のうちいずれか１方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本。
【請求項１７】
請求項１０乃至１３のいずれか１項記載の上製本において、前記厚表紙の表裏表紙内面に接着剤を介して接合された前記見返しシートの表裏紙面のうちいずれか１方若しくは両方の紙面の内面側、又は前記仮綴じ本の最表裏紙面のうちいずれか１方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本。
【発明の詳細な説明】
【０００１】
【発明の属する技術分野】
本発明は、厚い表紙と背表紙とを備えた書籍、絵本などの製本形態として利用される上製本に関する。
【０００２】
【従来の技術】
従来の厚い表紙と背表紙とを備えた上製本は、図８（ａ）に示すように、厚い表表紙１ａと厚い裏表紙１ｂと、その中間に厚い背表紙２とを、折り曲げ易い薄い折目部１ｃを介して接続形成した上製本用の厚表紙１を用意する。
【０００３】
そして、図８（ｂ）に示すように、複数枚の二つ折りした折丁４ａ（最終的に二つ折りした折丁：二つ折りを１回乃至数回繰り返した折丁）を、互いにその折丁背部４ｂを揃えて集積した集積折丁４（折丁群）の各折丁背部４ｂ同士を、糸かがり綴じ機にて糸１１により接続することにより、糸かがり綴じにて仮綴じされた背部５を備えた仮綴じ本４を形成する。
【０００４】
続いて、厚表紙１の背部２の内面に沿って、前記仮綴じ本４の背部５を配置し、必要に応じて背部２の内面と背部５との間に空背用のクーター（筒状シート）を介在させて、背部２の内面側に背部５を接着剤６にて接合することにより、図８（ｃ）に示すように仮綴じ本４に厚表紙１が装着されて製本される。
【０００５】
また、図９（ａ）に示すように、上記同様に上製本用の厚表紙１を用意した後に、図９（ｂ）に示すように、複数枚の二つ折りした折丁４ａ（最終的に二つ折りした折丁：二つ折りを１回乃至数回繰り返した折丁）を、互いにその折丁背部４ｂを揃えて集積した集積折丁４（折丁群）の各折丁背部４ｂ同士を、集積折丁４の一方面側から金具綴じ機（平綴じ機）にて綴じ針金１２（ホッチキス等）により接続することにより、平綴じにて仮綴じされた背部５を備えた仮綴じ本４を形成する。
【０００６】
次に、図９（ｃ）に示すように、厚表紙１の背部２の内面に沿って前記仮綴じ本４の背部５を配置し、必要に応じて背部２の内面と背部５との間に空背用のクーター（筒状シート）を介在させて、背部２の内面側に背部５を接着剤６にて接合することにより、仮綴じ本４に厚表紙１が装着されて製本される。
【０００７】
また、図８（ａ）、図９（ａ）に示す表紙１の表表紙１ａ及び裏表紙１ｂの内面と、図８（ｂ）、図９（ｂ）に示す集積折丁４のそれぞれ表外面及び裏外面とを、その面間に二つ折りした見返しシート（図示せず）を介在させて接着剤にて接合して製本される。
【０００８】
【発明が解決しようとする課題】
ところで、近年の印刷、製本における製造処理は、電子データを用いてデジタルデータ処理化されてきており、製造量（製本ロットの大きさ）の大小に関係なく、顧客からの個々の要望に即応できるように、オンデマンド方式にてデジタルデータ処理することによりパーソナルな印刷、製本を効率的に行えることが要望されるようになっている。
【０００９】
パーソナルな印刷、製本のビジネスとしては、例えば、絵本などに個々の顧客（読者）の名前や愛称などを掲載した書籍があり、このようなパーソナルな印刷製本処理における仕様として、その製本形態が上製本である場合、従来から行われている上記糸かがり綴じ方式や平綴じ方式による製本方式を採らざるを得ないものであった。
【００１０】
また、上記糸かがり綴じ方式による上製本作業は、糸かがり操作そのものは機械で行うことができるが、機械への折丁の供給集積作業は手作業の部分が多く、また平綴じ方式による上製本作業においても、製造ロットの大きいものと小さいものとを混在させて行うことは作業が煩雑になり、したがって、オンデマンド方式によるパーソナルな印刷、製本を上製本形態で行う場合には、顧客からの個々の要望に十分に即応できような効率的な上製本が実施できる製本構造形態が要望されている。
【００１１】
【課題を解決するための手段】
本発明の請求項１に係る発明は、複数枚の二つ折りした折丁が互いにその折丁背部を揃えて集積され且つ集積された前記集積折丁の折丁背部同士が接着剤にて接合されて仮綴じされた仮綴じ本の背部が、厚表紙の背表紙内面に沿って配置され、前記厚表紙の背表紙内面と、その背表紙内面に沿って配置された仮綴じ本の背部とが、接着剤にて互いに接合していることを特徴とする上製本である。
【００１２】
本発明の請求項２に係る発明は、複数枚の二つ折りした折丁が互いにその折丁背部を揃えて集積され且つ集積された前記集積折丁の折丁背部同士が接着剤にて接合されて仮綴じされた仮綴じ本の背部が、厚表紙の背表紙内面に沿って配置され、該仮綴じ本の最表裏紙面が厚表紙の表裏表紙内面に接着剤を介して接合されて製本されていることを特徴とする上製本である。
【００１３】
本発明の請求項３に係る発明は、上記請求項２に係る上製本において、前記厚表紙の背表紙内面と、その背表紙内面に沿って配置された仮綴じ本の背部とが、接着剤にて互いに接合していることを特徴とする上製本である。
【００１４】
本発明の請求項４に係る発明は、上記請求項２に係る上製本において、前記厚表紙の背表紙と、その背表紙内面に沿って配置された仮綴じ本の背部とが互いに非接合状態に形成されていることを特徴とする上製本である。
【００１５】
本発明の請求項５に係る発明は、上記請求項２に係る上製本において、前記厚表紙の背表紙内面と、その背表紙内面に沿って配置された仮綴じ本の背部とが、互いに非接合状態に形成され、且つその両部間には所定の空間を備えていることを特徴とする上製本である。
【００１６】
本発明の請求項６に係る発明は、複数枚の二つ折りした折丁が互いにその折丁背部を揃えて集積され且つ集積された前記集積折丁の折丁背部同士が接着剤にて接合されて仮綴じされた仮綴じ本の背部が、見返しシートの背部内面に接着剤を介して接合され、該見返しシートの表裏紙面が厚表紙の表裏表紙内面に接着剤を介して接合されて製本されていることを特徴とする上製本である。
【００１７】
本発明の請求項７に係る発明は、上記請求項６に係る上製本において、前記仮綴じ本の背部外面に接合された見返しシートの背部外面と厚表紙の背表紙内面とが接着剤にて互いに接合していることを特徴とする上製本である。
【００１８】
本発明の請求項８に係る発明は、上記請求項６に係る上製本において、前記仮綴じ本の背部外面に接合された見返しシートの背部外面と厚表紙の背表紙内面とが、互いに非接合状態に形成されていることを特徴とする上製本である。
【００１９】
本発明の請求項９に係る発明は、上記請求項６に係る上製本において、前記仮綴じ本の背部外面に接合された見返しシートの背部外面と厚表紙の背表紙内面とが、互いに非接合状態に形成され、且つその両面間には所定の空間を備えていることを特徴とする上製本である。
【００２０】
本発明の請求項１０に係る発明は、複数枚の二つ折りした折丁が互いにその折丁背部を揃えて集積され且つ集積された前記集積折丁の折丁背部同士が接着剤にて接合されて仮綴じされた仮綴じ本の背部が、見返しシートの背部内面に接着剤を介して接合され、該見返しシートの表裏紙面が厚表紙の表裏表紙内面に接着剤を介して接合されて製本されていることを特徴とする上製本である。
【００２１】
本発明の請求項１１に係る発明は、上記請求項１０に係る上製本において、前記仮綴じ本の背部外面に接合された見返しシートの背部外面と厚表紙の背表紙内面とが、接着剤にて互いに接合していることを特徴とする上製本である。
【００２２】
本発明の請求項１２に係る発明は、上記請求項１０に係る上製本において、前記仮綴じ本の背部外面に接合された見返しシートの背部外面と厚表紙の背表紙内面とが、互いに非接合状態に形成されていることを特徴とする上製本である。
【００２３】
本発明の請求項１３に係る発明は、上記請求項１０に係る上製本において、前記仮綴じ本の背部外面に接合された見返しシートの背部外面と厚表紙の背表紙内面とが、互いに非接合状態に形成され且つその両面間には所定の空間を備えていることを特徴とする上製本である。
【００２４】
本発明の請求項１４に係る発明は、上記請求項１に係る上製本において、前記厚表紙の表裏表紙のうちいずれか一方若しくは両方の表紙の内面側、又は前記仮綴じ本の最表裏紙面のうちいずれか１方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本である。
【００２５】
本発明の請求項１５に係る発明は、上記請求項２乃至５のいずれか１項に係る上製本において、前記厚表紙の表裏表紙内面に接着剤を介して接合された前記仮綴じ本の最表裏紙面のうちいずれか一方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本である。
【００２６】
本発明の請求項１６に係る発明は、上記請求項６乃至９のいずれか１項に係る上製本において、前記厚表紙の表裏表紙内面に接着剤を介して接合された前記見返しシートの表裏紙面のうちいずれか一方若しくは両方の紙面の内面側、又は前記仮綴じ本の最表裏紙面のうちいずれか１方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本である。
【００２７】
本発明の請求項１７に係る発明は、上記請求項１０乃至１３のいずれか１項に係る上製本において、前記厚表紙の表裏表紙内面に接着剤を介して接合された前記見返しシートの表裏紙面のうちいずれか１方若しくは両方の紙面の内面側、又は前記仮綴じ本の最表裏紙面のうちいずれか１方若しくは両方の紙面の内面側に、撮影写真若しくは印刷画像等による特定画像が設けられ、該特定画像を観察できる窓孔部が前記仮綴じ本の全頁若しくは部分頁に亘って設けられていることを特徴とする上製本である。
【００２８】
【発明の実施の形態】
本発明の上製本を、実施の形態に従って以下に詳細に説明すれば、図１（ａ）は本発明の上製本の構造を説明する全体斜視図、図１（ｂ）〜（ｃ）はその平面図である。
【００２９】
上製本用の厚表紙１は厚い表表紙１ａと、厚い裏表紙１ｂと、その中間に厚い背表紙２とにより構成され、その各表紙１ａ、２、１ｂ間は、折り曲げ易い薄い厚さの折目部１ｃにて連設されている。
【００３０】
仮綴じ本４は、厚表紙１の各表紙１ａ、２、１ｂの内面に配置されるもので、例えば、平綴じ製本用の製本丁合機など、適宜な折丁集積手段を利用して、複数枚の二つ折りした折丁４ａを互いにその折丁背部４ｂを揃えて集積した集積折丁の各折丁背部４ｂ同士を接着剤６（ホットメルト型接着剤、水性エマルション型接着剤、膠糊、澱粉糊など）にて接合することにより、背部５を備えて仮綴じされたものである。なお、仮綴じ接合の際に、仮綴じ強度を補強するための背貼りテープ、リボンなど補強シートと接着剤６とを併用してもよい。
【００３１】
本発明の請求項１に係る上製本は、図１（ａ）、図１（ｂ）に示すように、厚表紙１の背部２の内面と、仮綴じされた仮綴じ本４の背部５が、互いに接着剤を介して接合されて製本されているものである。
【００３２】
前記接着剤としては、図示するように仮綴じ本４の背部５の仮綴じ用に使用した接着剤６をそのまま用いてもよいし、図１（ｂ）に示すように、厚表紙１の背表紙２と、仮綴じ本４の背部５に設けた仮綴じ用の接着剤６との間に新たに接着剤７を設けて接合してもよい。
【００３３】
本発明の請求項２に係る発明は、図１（ａ）、図１（ｂ）、図１（ｃ）に示すように、厚表紙１の背表紙２の内面に沿って、接着剤６によって仮綴じされた仮綴じ本４の背部５が配置され、仮綴じ本４の最表面紙（最初の見開きページ）と最裏紙面（最後の見開きページ）が、見返しシート（製本接合用の介在シート）として、接着剤を介して厚表紙１の表表紙１ａと裏表紙１ｂの内面に接合されて製本されているものである。
【００３４】
また、本発明の請求項３に係る発明は、図１（ａ）、図１（ｂ）に示すように前記厚表紙１の背表紙２内面と仮綴じ本４の背部５（及びその接着剤６の層）とが、その接着剤６により、又は新たな接着剤７により互いに接合状態に形成されているものである。
【００３５】
また、本発明の請求項４に係る発明は、図１（ａ）、図１（ｃ）に示すように前記厚表紙１の背表紙２内面と仮綴じ本４の背部５（及びその接着剤６の層）とが互いに非接合状態に形成されて、非接合部８（空間形成部）が形成されているものである。なお、非接合部８内には、空背製本を形成するための偏平な筒状シート（クーター：偏平状態から筒状に開く紙、不織布、織布、樹脂フィルム、アルミ箔等の布帛でできたシート）を介在させて接合製本してもよい。
【００３６】
また、図１（ｃ）に示すように、前記背表紙２内面と仮綴じ本４の背部５内面が互いに非接合状態であり、しかも厚表紙１の表裏表紙１ａ、１ｂを閉鎖した状態において、剛度のある背表紙２の内面に対して、背部５及びその接着剤６層は平坦に接触し、開放した状態においては湾曲変形して離反し、空間８（半月状の空間）が形成されて、柔軟に変形し、開閉し易くなっている。
【００３７】
また、本発明の請求項５に係る発明のように、厚表紙１の表裏表紙１ａ、１ｂを閉鎖した状態において、その背表紙２と仮綴じ本４の背部５との間には、予め僅かな空間８（矩形状の空間：図示せず）を備えていてもよい。
【００３８】
このように本発明の上製本は、厚表紙１の表裏表紙１ａ、１ｂを折目部１ｃを介して開閉した際は、剛度のある背表紙２に対して、背部５及びその接着剤６層は湾曲して離反したり、平坦になったりして柔軟に変形し、開閉し易くなっている。
【００３９】
本発明の請求項６に係る発明は、図２（ａ）、図２（ｂ）、図２（ｃ）に示すように、厚表紙１の背表紙２の内面に沿って、接着剤６によって仮綴じされた仮綴じ本４の背部５が配置されている。
【００４０】
厚表紙１の表表紙１ａと仮綴じ本４の最表面紙（最初の見開きページ）との間、及び裏表紙１ｂと仮綴じ本４の最裏紙面（最後の見開きページ）との間には、二つ折りした見返しシート３（製本接合用の介在シート）が、それぞれ１枚ずつ介在している。
【００４１】
そして、図２（ａ）〜（ｃ）に示すように、厚表紙１の表表紙１ａと仮綴じ本４の最表面紙（最初の見開きページ）との内面、及び厚表紙１の裏表紙１ｂと仮綴じ本４の最裏紙面（最後の見開きページ）との内面に、各々見返しシート３、３が接着剤を介して接合されて製本されているものである。
【００４２】
また、本発明の請求項７に係る発明は、図２（ａ）、図２（ｂ）に示すように前記厚表紙１の背表紙２内面と仮綴じ本４の背部５（及びその接着剤６の層）とが、その接着剤６により、又は新たな接着剤７により互いに接合状態に形成されているものである。
【００４３】
また、本発明の請求項８に係る発明は、図２（ａ）、図２（ｃ）に示すように前記厚表紙１の背表紙２内面と仮綴じ本４の背部５（及びその接着剤６の層）とが、互いに非接合状態に形成されて、非接合部８（空間形成部）が形成されているものである。なお、その非接合部８内には、空背製本を形成するための偏平な筒状シート（クーター：偏平状態から筒状に開く紙、不織布、織布、樹脂フィルム、アルミ箔等の布帛でできたシート）を介在させてもよい。
【００４４】
また、図２（ｃ）に示すように、前記背表紙２内面と仮綴じ本４の背部５内面が互いに非接合状態であり、しかも厚表紙１の表裏表紙１ａ、１ｂを閉鎖した状態において、剛度のある背表紙２の内面に対して、背部５及びその接着剤６層は平坦に接触し、開放した状態においては湾曲変形して離反し、空間８（半月状の空間）が形成されて、柔軟に変形し、開閉し易くなっている。
【００４５】
また、本発明の請求項９に係る発明のように、厚表紙１の表裏表紙１ａ、１ｂを閉鎖した状態において、その背表紙２と仮綴じ本４の背部５との間には、予め僅かな空間８（矩形状の空間：図示せず）を備えていてもよい。
【００４６】
本発明の請求項１０に係る発明は、図３（ａ）、図３（ｂ）、図３（ｃ）に示すように、厚表紙１の背表紙２の内面に沿って、接着剤６によって仮綴じされた仮綴じ本４の背部５が配置されている。
【００４７】
仮綴じ本４の外面には、その最表紙面から背部５と最裏紙面に亘って連続して表表紙部３ａ、背部３ｃ、裏表紙部３ｂから構成される１枚の見返しシート３が被覆されている。
【００４８】
そして図３（ａ）〜（ｃ）に示すように、その見返しシート３の背部内面に、前記仮綴じ本４の背部５が、背部５の仮綴じ接着剤６又は新たに設けた接着剤を介して接合されているとともに、該見返しシート３の表裏紙面３ａ、３ｂが、厚表紙１の表裏表紙１ａ、１ｂ内面にそれぞれ接着剤を介して接合されて製本されている。
【００４９】
また、本発明の請求項１１に係る発明は、図３（ａ）、図３（ｂ）に示すように、前記厚表紙１の背表紙２内面と仮綴じ本４の外側に被覆した背部５にて接合している前記見返しシート３の背部３ｃとが、接着剤７により互いに接合状態に形成されているものである。
【００５０】
また、本発明の請求項１２に係る発明は、図３（ａ）、図３（ｃ）に示すように、前記厚表紙１の背表紙２内面と、仮綴じ本４の背部５（及びその接着剤６の層と見返しシート３の背部３ｃ）とが、互いに非接合状態に形成されて、非接合部８（空間形成部）が形成されているものである。なお、その非接合部８内には必要に応じて、空背製本を形成するための偏平な筒状シート（クーター：偏平状態から筒状に開く紙、不織布、織布、樹脂フィルム、アルミ箔等の布帛でできたシート）を介在させてもよい。
【００５１】
また、図３（ｃ）に示すように、前記背表紙２内面と仮綴じ本４の背部５内面が互いに非接合状態であり、しかも厚表紙１の表裏表紙１ａ、１ｂを閉鎖した状態において、剛度のある背表紙２の内面に対して、背部５及びその接着剤６層及び見返しシート３の背部３ｃは、平坦に接触し、開放した状態においては湾曲変形して離反し、空間８（半月状の空間）が形成されて、柔軟に変形し、開閉し易くなっている。
【００５２】
また、本発明の請求項１３に係る発明のように、厚表紙１の表裏表紙１ａ、１ｂを閉鎖した状態において、その背表紙２と仮綴じ本４の背部５（見返しシート３の背部３ｃ）との間には、予め僅かな空間８（矩形状の空間：図示せず）を備えていてもよい。
【００５３】
本発明の請求項１４に係る発明の上製本は、図４に示すように、厚表紙１の背表紙２の内面に沿って仮綴じ本４を接合した上製本（図１参照）において、厚表紙１の表裏表紙１ａ、１ｂのうち、表表紙１ａの内面側又は裏表紙１ｂの内面側又は表表紙１ａと裏表紙１ｂの両方の内面側に、撮影写真若しくは印刷画像等による特定画像１１が設けられ、該特定画像１１を観察できる窓孔部１２が、前記仮綴じ本４の全頁若しくは部分頁に亘って、打ち抜き加工方式にて設けられているものである。
【００５４】
また、本発明の請求項１４に係る発明の上製本（図１参照）は、図４における前記仮綴じ本４の各ページ４ａのうちの最表面の紙面４ａ又は最裏面の紙面４ａ又は最表面と最裏面の両方の紙面の内面側に、撮影写真若しくは印刷画像等による特定画像１１が設けられ、該特定画像１１を観察できる窓孔部１２が、前記最表面の紙面４ａ又は最裏面の紙面４ａ以外の仮綴じ本４の全頁紙面、又は前記最表面の紙面４ａ若しくは最裏面の紙面４ａの次の頁紙面から途中頁紙面に亘って、打ち抜き加工方式にて設けられていてもよい。
【００５５】
本発明の請求項１５に係る発明の上製本は、図５に示すように、厚表紙１の表裏表紙１ａ、１ｂ内面に接着剤を介して仮綴じ本４の最表裏紙面を接合した上製本（図１参照）において、仮綴じ本４の最表裏紙面のうちの最表面の紙面４ａ又は最裏面の紙面４ａ又は最表面と最裏面の両方の紙面の内面側に、撮影写真若しくは印刷画像等による特定画像１１が設けられ、該特定画像１１を観察できる窓孔部１２が、前記仮綴じ本４の全頁若しくは部分頁に亘って、打ち抜き加工方式にて設けられているものである。
【００５６】
本発明の請求項１６に係る発明の上製本は、図６に示すように、厚表紙１の表裏表紙１ａ、１ｂ内面に接着剤にて貼着した二つ折りの見返しシート３を介して仮綴じ本４の最表裏紙面を接合した上製本（図２参照）において、表表紙１ａ側の見返しシート３又は裏表紙１ｂ側の見返しシート３又はその両方の見返しシート３の二つ折りした片方の紙面の内面側に、撮影写真若しくは印刷画像等による特定画像１１が設けられ、該特定画像１１を観察できる窓孔部１２が、前記見返しシート３の二つ折りした他方の紙面及びそれに貼着した仮綴じ本４の最表面紙面４ａ又は最裏面紙面４ａから全頁紙面若しくは途中頁紙面に亘って、打ち抜き加工方式にて設けられているものである。
【００５７】
また、本発明の請求項１６に係る発明の上製本は、図６に示すように、厚表紙１の表裏表紙１ａ、１ｂ内面に接着剤にて貼着した二つ折りの見返しシート３を介して仮綴じ本４の最表裏紙面を接合した上製本（図２参照）において、二つ折りした見返しシート３の片方の紙面と接着した仮綴じ本４の最表裏紙面のうちの最表面の紙面４ａ又は最裏面の紙面４ａ又は最表面と最裏面の両方の紙面の内面側に、撮影写真若しくは印刷画像等による特定画像１１が設けられ、該特定画像１１を観察できる窓孔部１２が、前記仮綴じ本４の最表面の紙面４ａ又は最裏面の紙面４ａ以外の全頁紙面、又は前記最表面の紙面４ａ若しくは最裏面の紙面４ａの次の頁紙面から途中頁紙面に亘って、打ち抜き加工方式にて設けられているものである。
【００５８】
本発明の請求項１７に係る発明の上製本は、図７に示すように、厚表紙１の表裏表紙１ａ、１ｂ内面に接着剤にて貼着した見返しシート３の背部に仮綴じ本４の背部５を接合した上製本（図３参照）において、厚表紙１の表裏表紙１ａ、１ｂ内面に接着剤を介して接合された前記見返しシート３の表側紙面３ａと裏側紙面３ｂのうちのいずれか１方若しくは両方の紙面の内面側に、撮影写真若しくは印刷画像等による特定画像１１が設けられ、該特定画像１１を観察できる窓孔部１２が、前記仮綴じ本４の全頁紙面、又はその最表面の紙面４ａ若しくは最裏面の紙面４ａの次の頁紙面から途中頁紙面に亘って、打ち抜き加工方式にて設けられているものである。
【００５９】
また、本発明の請求項１７に係る発明の上製本は、図７に示す厚表紙１の表裏表紙１ａ、１ｂ内面に接着剤にて貼着した見返しシート３の背部に仮綴じ本４の背部５を接合した上製本（図３参照）において、仮綴じ本４の最表裏紙面のうちの最表面の紙面４ａ又は最裏面の紙面４ａ又は最表面と最裏面の両方の紙面の内面側に、撮影写真若しくは印刷画像等による特定画像１１が設けられ、該特定画像１１を観察できる窓孔部１２が、前記仮綴じ本４の全頁紙面、又はその最表面の紙面４ａ若しくは最裏面の紙面４ａの次の頁紙面から途中頁紙面に亘って、打ち抜き加工方式にて設けられているものである。
【００６０】
なお、上記請求項１４乃至１７に係る発明の上製本に設ける前記特定画像１１は、本の編集内容、構成内容、掲載内容に対応して、表表紙の内側紙面１ａ、裏表紙の内側紙面１ｂ、見返しシート紙面３、本を構成する１乃至複数ページ紙面４ａなど各種紙面のうち、いずれか１種の紙面又は数種の紙面に、撮影写真を貼着などして取り付けたり、あるいは印刷画像として、窓孔部１２の位置に整合するようにして設けることができ、また同一紙面上における１個所乃至複数個所に窓孔部１２から観察できるようにして設けるようにしてもよい。
【００６１】
【発明の効果】
本発明の上製本は、厚い表紙と背表紙とを備えた書籍、絵本などの製本形態として利用される上製本において、従来のような糸かがり綴じ方式や平綴じ方式により仮綴じを行う製本方式を採る必要がなく、接着剤（糊剤）を用いて、比較的簡便な製本綴じ方式により、厚表紙と仮綴じ本を用いて上製本を製本することが可能となる。
【００６２】
そのために、オンデマンド方式にてデジタルデータ処理することにより行う印刷、製本等において、パーソナルな印刷、製本を上製本形態で行う場合に、顧客からの個々の要望に十分に即応できものであり、製本ロット数の大小に影響されずに効率的で格安な上製本（勿論、厚表紙でない通常の薄表紙を用いた製本も製造可）が実施できる製本構造形態を提供できる効果がある。
【００６３】
また、本発明の上製本は、オンデマンド方式にてパーソナルな印刷、製本が可能となることから、例えば上製本を作成する際に、その本に掲載される物語や読み物などの各種ストーリーを構成するために登場する地名、登場人物名や登場動物の愛称名、あるいはメッセージ、また登場する人物写真や動物写真、景色、風景等の写真などの本の構成情報を、その本の作成依頼者が提示する個々の要望に応じたパーソナルな構成情報に置き換え、それらの情報をデジタルデータ処理して、印刷、打ち抜き、写真添付、製本等の諸加工を行って作成することが可能となる。
【００６４】
また、本発明の上製本は、表紙や本文頁や見返しシート等の内面側に、本の構成情報又は／及びパーソナルな構成情報として、撮影写真や印刷画像等の特定画像を備え、本の構成情報又は／及びパーソナルな構成情報を掲載した本文頁部分には、その特定画像が観察できる位置に窓孔部を備えることにより、本文頁を捲る毎に窓孔部から特定画像を観察でき、趣向性のある上製本を提供できるものである。
【図面の簡単な説明】
【図１】（ａ）は本発明の請求項１又は請求項２乃至５に係る上製本の構造形態を説明する全体斜視図、（ｂ）〜（ｃ）はその平面図。
【図２】（ａ）は本発明の請求項６乃至９に係る上製本の構造形態を説明する全体斜視図、（ｂ）〜（ｃ）はその平面図。
【図３】（ａ）は本発明の請求項１０乃至１３に係る上製本の構造形態を説明する全体斜視図、（ｂ）〜（ｃ）はその平面図。
【図４】本発明の請求項１４に係る上製本の構造形態を説明する全体斜視図。
【図５】本発明の請求項１５に係る上製本の構造形態を説明する全体斜視図。
【図６】本発明の請求項１６に係る上製本の構造形態を説明する全体斜視図。
【図７】本発明の請求項１７に係る上製本の構造形態を説明する全体斜視図。
【図８】従来の上製本の構造形態を説明する説明図であり、（ａ）は厚表紙、（ｂ）は仮綴じ本の斜視図、（ｃ）は製本された上製本の全体斜視図。
【図９】従来の上製本の他の構造形態を説明する説明図であり、（ａ）は厚表紙、（ｂ）は仮綴じ本の斜視図、（ｃ）は製本された上製本の全体斜視図。
【符号の説明】
１…厚い表紙　１ａ…表表紙　１ｂ…裏表紙　２…背表紙　３…見返しシート
３ａ…見返しシート表部　３ｂ…見返しシート裏部　３ｃ…見返しシート背部
４…仮綴じ本　４ａ…ページ折丁（本文ページ）　４ｂ…折丁背部
５…仮綴じ本の背部　６…接着剤（接着糊）　７…接着剤
１１…特定画像　１２…窓孔部
【図１】
2004001451.tif 000003
【図２】
2004001451.tif 000004
【図３】
2004001451.tif 000005
【図４】
2004001451.tif 000006
【図５】
2004001451.tif 000007
【図６】
2004001451.tif 000008
【図７】
2004001451.tif 000009
【図８】
2004001451.tif 000010
【図９】
2004001451.tif 000011